(57)【特許請求の範囲】
【請求項１】
雌部材側テープ（８）の端部に取り付けた雌部材（４）と雄部材側テープ（１０）の端部に取り付けた雄部材（６）からなる係止具（２）であって、
前記雌部材（４）は、前記雌部材側テープ（８）を埋設した雌側基部（４１）と、上側表面・下側表面・左右側面からなる係合用空間（４４）を有する係合部（４２）からなり、
前記上側表面には、前記雌側基部（４１）及び「コ」の字型部（４５）により形成される第１孔（４６）と、前記雌側基部（４１）から前記第１孔（４６）に向かって伸びる平板状の第１突起（４７）が設けられており、
前記下側表面には、前記雌側基部（４１）から突出する平板状の第２突起（４８）と、前記上側表面の前記第１突起（４７）に相当する位置に第２孔（４９）が設けられており、
前記雄部材（６）は、前記雄部材側テープ（１０）を埋設した雄側基部（６１）と、係合用の突起を有する係合部（６２）からなり、前記係合部（６２）には係合用突起（６４）があり、先端から少し戻った位置に小さな返し突起（６５）が形成されている
ことを特徴とする係止具。
【請求項２】
前記第２突起（４８）の外形が前記第１孔（４６）の外形より僅かに小さいものである請求項１記載の係止具。
【請求項３】
前記第２孔（４９）の外形が前記第１突起（４７）の外形よりも僅かに大きいものである請求項１記載の係止具。
【請求項４】
前記係合用突起（６４）が平板状である請求項１ないし３のいずれかに記載の係止具。
【発明の詳細な説明】
【０００１】
【発明の属する技術分野】
本発明は、２本のテープをその端部同士で繋いだり切り離したりするのに使用する係止具に関する。このような係止具は、例えばフロントホック式ブラジャーにおいて、２つのカップ部の間を繋いだり切り離したりするのに用いられる。また、授乳用ブラジャーにおいて、授乳時に肩紐テープとカップ部付近のテープとを切り離して乳房を露出させ、授乳後に両方のテープを再び繋ぐのに使用される。
【０００２】
【従来の技術】
この種の係止具は、基本的に各種バッグの手提げ紐、肩紐などに使用されている係止具と形態的には類似している。
【０００３】
【発明が解決しようとする課題】
ブラジャーなどで使用する係止具は、係止強度はさほど必要としないが、小さいことが特徴である。したがって、各種バッグで使用されている係止具をそのままの形では使用しづらいのはもちろん、元の形のままで縮小しても指をかけるところが小さすぎたりして非常に使いづらいものとなる。
【０００４】
本発明は、ブラジャー用係止具など、比較的小さく、係止強度もあまり要求されないような用途における係止具を提供することを目的とする。
【０００５】
【課題を解決するための手段】
本発明のテープ付き係止具は、雌部材側テープの端部に取り付けた雌部材と雄部材側テープの端部に取り付けた雄部材からなる係止具であって、前記雌部材は、前記雌部材側テープを埋設した雌側基部と、上側表面・下側表面・左右側面からなる係合用空間を有する係合部からなり、前記上側表面には、前記雌側基部及び「コ」の字型部により形成される第１孔と、前記雌側基部から前記第１孔に向かって伸びる平板状の第１突起が設けられており、前記下側表面には、前記雌側基部から突出する平板状の第２突起と、前記上側表面の前記第１突起に相当する位置に第２孔が設けられており、前記雄部材は、前記雄部材側テープを埋設した雄側基部と、係合用の突起を有する係合部からなり、前記係合部には係合用突起があり、先端から少し戻った位置に小さな返し突起が形成されていることを特徴とする。
【０００６】
【発明の実施の態様】
前記上側表面には、前記雌側基部及び「コ」の字型部により形成される第１孔と、前記雌側基部から前記第１孔に向かって伸びる平板状の第１突起を設けるのが好ましい。
【０００７】
前記下側表面には、雌側基部から突出する平板状の第２突起と、上側表面の第１突起に相当する位置に第２孔を設けるのが好ましい。
【０００８】
さらに、前記下側表面の第２突起の外形が上側表面の第１孔の外形より僅かに小さいものであること、前記下側表面の第２孔の外形が上側表面の第１突起の外形よりも僅かに大きいものであることが一体成形する上で便利である。
【０００９】
【実施例】
以下、添付の図面に基づき、本発明の実施例を説明する。
【００１０】
図１（ａ）は本発明の係止具により２本のテープが係止されている状態の平面図、図１（ｂ）は側面図である。図２は２本のテープの係止を解除した状態の平面図である。
【００１１】
これらの図から分かるように、本発明の係止具２は雌部材４と雄部材６からなり、両者を繋いだり離したりすることにより、２本のテープ（雌部材側テープ８と雄部材側テープ１０）の係止と離脱を行う。ブラジャーの肩紐に使用するテープは平織りの織物であることが多く、幅１４ｍｍ程度である。雌雄部材は熱可塑性樹脂からなり、金型内で射出成形によりテープに付着させている。
【００１２】
雌部材４の詳細を図３（ａ）の平面図及び図３（ｂ）の断面図により示す。全体はテープの幅よりもやや長い縦方向長さ（１６ｍｍ）と、縦方向長さよりもやや短い横方向長さ（１０ｍｍ）を有する四角形の薄い箱状である。図３（ｂ）に示すように、左半分はテープを埋め込んだ雌側基部４１であり、右半分は係合用の空間４４を有する係合部４２である。
【００１３】
雌側基部４１において、符号４３は射出成形時にテープが射出圧でねじれたりしないように金型内で押さえつけるピンにより形成された穴であってこの部分だけテープが露出している。
【００１４】
係合部４２は、上側表面と下側表面の間に係合用空間４４が形成されている。上側表面には、雌側基部４１とコの字型部４５により形成された四角形の第１孔４６（１２ｍｍ×３．３ｍｍ）が形成されている。第１孔４６の中央部付近には雌側基部４１から伸びる四角形の平板状の第１突起４７（１．５ｍｍ×３ｍｍ）が設けられている。
【００１５】
下側表面は、上側表面と相補的であり、上側表面の第１孔４６より僅かに小さい四角形平板状の第２突起４８（１１．４ｍｍ×３．２ｍｍ）が雌側基部４１から突出している。また、上側表面の第１突起４７に相当する位置にそれよりも僅かに大きい第２孔４９（２．２ｍｍ×３ｍｍ）が設けられている。この第２孔４９は雌側基部４１とコの字型部５０により形成されている。
【００１６】
上側表面及び下側表面の左右端部は側面部材５１，５２により閉鎖されているので、係合用空間４４は係合方向に向かってのみ全面的に開口していることになる。
【００１７】
雄部材６の詳細を図４（ａ）の平面図及び図４（ｂ）の断面図により示す。全体はテープの幅よりもやや長い縦方向長さ（１６ｍｍ）と、縦方向長さよりもやや短い横方向長さ（９．９ｍｍ）を有する四角形の平板状である。図４（ｂ）に示すように、右半分はテープを埋め込んだ雄側基部６１であり、左半分は係合用の突起を有する係合部６２である。
【００１８】
雄側基部６１の構造は雌側基部４１と同様であり、同様の理由により穴６３が設けられている。
【００１９】
係合部６２には先端が丸くなった平板状の係合突起６４があり、テープの幅よりも僅かに短い幅（１１．８ｍｍ）を有する。先端から少し戻った位置に小さな返し突起６５（幅２ｍｍ、突起高さ０．２ｍｍ）が形成されている。
【００２０】
この係止具２は、雌部材側テープ８の雌部材４と雄部材側テープ１０の雄部材６を使用者が指で繋いだり外したりして使用する。
【００２１】
雌部材４と雄部材６を繋いだ状態の断面図を図５に示す。この図から分かるように、雄部材の係合突起６４を雌部材の係合空間４４に挿入し、雄部材の返し突起６５が雌部材「コ」の字型部の壁に係合して位置が安定する。
【００２２】
雌部材４と雄部材６の係合を解くには、雄部材の係合突起６４を雌部材の係合空間４４から切り離す。そのためには、図６に示すように、雄部材と雌部材を両手で持ち、「へ」の字型に折り曲げて、返し突起６５を「コ」の字型部の壁から離して係合を解くことによる。なお、雄部材の返し突起は低いので、両者を水平に強制的に左右に強く引っ張っても外れるが、それは本来の使用法ではない。
【００２３】
【発明の効果】
本発明によれば、比較的小さく、係止強度もあまり要求されないような用途における簡易な係止具が得られる。それは、例えば、フロントホック式ブラジャーや授乳用ブラジャー用の係止具として適してしている。
【図面の簡単な説明】
【図１】図１（ａ）は本発明の係止具で２本のテープが係止されている状態の平面図、図１（ｂ）は側面図である。
【図２】２本のテープの係止を解除した状態の平面図である。
【図３】図３（ａ）は雌部材４の平面図、図３（ｂ）は同断面図である。
【図４】図４（ａ）は雄部材６の平面図、図４（ｂ）は同断面図である。
【図５】図１（ａ）の３−３拡大断面図である。
【図６】本発明の係止具を外しつつある状態の拡大断面図である。
【符号の説明】
４     雌部材
４１   雌側基部
４４   係合空間
６     雄部材
６１   雄側基部
６２   係合部
６４   係合突起
６５   返し突起
【図１】
0004656760.tif 000002
【図２】
0004656760.tif 000003
【図３】
0004656760.tif 000004
【図４】
0004656760.tif 000005
【図５】
0004656760.tif 000006
【図６】
0004656760.tif 000007